(57)【特許請求の範囲】
【請求項１】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
前記受信されるアナログＴＶ信号を信号処理する第１信号処理手段と、
前記受信されるデジタルＴＶ信号を復号化する第２信号処理手段と、
前記第２信号処理手段により固定ビット率の伝送率を可変ビット率に変換するためのバッファとしてデジタルビデオモード時に使用され、前記第１信号処理手段より後処理のためのフレームメモリとしてアナログビデオモード時に使用されるデータを貯蔵するメモリと、
アナログビデオモードまたはデジタルビデオモードを示すモード選択信号を発生する発生手段と、
前記モード選択信号に応じてアナログビデオモード時には前記第１信号処理手段で処理された信号を前記メモリに書込み及び読出すため、またデジタルビデオモード時にはデジタルＴＶ信号を書込／読出すため使用されるように前記メモリを制御するメモリ制御手段とを含み、
前記メモリ制御手段は、チャンネルキーで生成される前記モード選択信号により前記第１及び第２信号処理手段の出力の中１つを選択して前記メモリに書込み、前記メモリに貯蔵されたデータを前記選択された信号処理手段に供給するスイッチング手段よりなることを特徴とする受信器。
【請求項２】
前記第１信号処理手段は、
受信されるアナログＴＶチャンネルから所望のチャンネルを選択して選択されたチャンネルの中間周波数信号を出力する第１チューナと、
前記第１チューナで選択されたチャンネルの中間周波数信号を増幅し、ビデオ信号を出力する第１チャンネル復調器と、
前記第１チャンネル復調器から出力されるビデオ信号で前記メモリに貯蔵された隣接画面間の相関度と隣接ライン間の相関度とを利用して輝度信号と色信号を分離するＹ／Ｃ分離器とを含むことを特徴とする請求項１に記載の受信器。
【請求項３】
画質改善のために前記分離された輝度信号を利用して後処理する後処理器をさらに含むことを特徴とする請求項２に記載の受信器。
【請求項４】
前記アナログビデオモード時前記メモリを前記第１チャンネル復調器から出力されるデータを画面単位に貯蔵するフレームメモリとして使用することを特徴とする請求項２に記載の受信器。
【請求項５】
前記アナログビデオモード時前記メモリを前記第１チャンネル復調器から出力されるデータを画面単位に貯蔵し、前記後処理器に入力されるデータを画面単位に貯蔵するフレームメモリとして使用することを特徴とする請求項３に記載の受信器。
【請求項６】
前記第１信号処理手段は、
受信されるアナログＴＶチャンネルから所望のチャンネルを選択して中間周波数信号に出力する第１チューナと、
前記第１チューナで選択されたチャンネルの中間周波数信号を増幅し、増幅された信号からビデオ信号を出力する第１チャンネル復調器と、
前記第１チャンネル復調器から出力されるビデオ信号と前記メモリに貯蔵されたデータを利用して後処理する後処理器とを含むことを特徴とする請求項１に記載の受信器。
【請求項７】
前記アナログビデオモード時、前記メモリを前記第１チャンネル復調器から出力されるデータを画面単位に貯蔵するフレームメモリとして使用することを特徴とする請求項６に記載の受信器。
【請求項８】
前記第２信号処理手段は、
受信される前記デジタル信号フォーマットに符号化されたＴＶ信号で所望のチャンネルの信号を選択する第２チューナと、
前記第２チューナから出力される所望のチャンネル信号をチャンネル復号化する第２チャンネル復調器と、
前記第２チャンネル復調器から出力されたチャンネル復号化された信号からビデオデータストリームを出力するシステムデコーダと、
前記ビデオデータストリームからビデオデータを復元するビデオデコーダとを含むことを特徴とする請求項１に記載の受信器。
【請求項９】
前記デジタルビデオモード時前記メモリをビデオデコーディングのため固定ビット率の伝送率を可変ビット率に変換するチャンネルバッファと動き補償のためのフレームバッファとして使用することを特徴とする請求項８に記載の受信器。
【請求項１０】
前記スイッチング手段は少なくとも１つ以上のマルチプレクサよりなることを特徴とする請求項１に記載の受信器。
【請求項１１】
前記モード選択信号により前記第１信号処理手段の出力信号と前記第２信号処理手段の出力信号の中１つを選択するスイッチング手段と、  前記スイッチング手段によりスイッチングされた信号をディスプレイにディスプレイされるように制御するディスプレイ制御手段とをさらに含むことを特徴とする請求項１に記載の受信器。
【請求項１２】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
データラインとクロックラインよりなる共用バスラインに連結され、アナログビデオモードまたはデジタルビデオモードかを示すモード選択データを発生させる制御手段と、
前記共用バスラインに連結され、前記モード選択データにより受信されるアナログＴＶ信号を信号処理する第１信号処理手段と、
前記共用バスラインに連結され、前記モード選択データにより受信されるデジタルＴＶ信号を復号化する第２信号処理手段と、
前記共用バスラインに連結され、前記第２信号処理手段のデジタルＴＶ信号の復号化のために固定ビット率の伝送率を可変ビット率に変換するためのバッファとしてデジタルビデオモード時に使用されるために具備され、アナログビデオモードを示す前記モード選択データにより前記第１信号処理手段で処理された後処理のためのフレームメモリとしてアナログビデオモード時に使用されるデータを書込み、貯蔵されたデータを前記第１信号処理手段に供給するメモリとを含むことを特徴とする受信器。
【請求項１３】
前記第１信号処理手段は、
受信されるアナログＴＶチャンネルから所望のチャンネルを選択して中間周波数信号に出力する第１チューナと、
前記第１チューナとして選択されたチャンネルの中間周波数信号を増幅し、ビデオ信号を出力する第１チャンネル復調器と、
前記第１チャンネル復調器から出力されるビデオ信号で前記メモリに貯蔵された隣接された画面間の相関度と隣接ライン間の相関度とを利用して輝度信号と色信号を分離するＹ／Ｃ分離器とを含むことを特徴とする請求項１２に記載の受信器。
【請求項１４】
画質改善のために前記分離された輝度信号を利用して後処理する後処理器をさらに含むことを特徴とする請求項１３に記載の受信器。
【請求項１５】
前記アナログビデオモード時前記メモリを前記第１チャンネル復調器から出力されるデータを画面単位に貯蔵するフレームメモリとして使用することを特徴とする請求項１３に記載の受信器。
【請求項１６】
前記アナログビデオモード時前記メモリを前記第１チャンネル復調器から出力されるデータを画面単位に貯蔵し、前記後処理器から入力されるデータを画面単位に貯蔵するフレームメモリとして使用することを特徴とする請求項１４に記載の受信器。
【請求項１７】
前記第１信号処理手段は、
受信されるアナログＴＶチャンネルで所望のチャンネルを選択して中間周波数信号として出力する第１チューナと、
前記第１チューナで選択されたチャンネルの中間周波数信号を増幅し、ビデオ信号を出力する第１チャンネル復調器と、
前記第１チャンネル復調器から出力されるビデオ信号と前記メモリに貯蔵されたデータを利用して後処理する後処理器とを含むことを特徴とする請求項１２に記載の受信器。
【請求項１８】
前記アナログビデオモード時前記メモリを前記第１チャンネル復調器から出力されるデータを画面単位に貯蔵するフレームメモリとして使用することを特徴とする請求項１７に記載の受信器。
【請求項１９】
前記第２信号処理手段は、
受信される前記デジタル信号フォーマットに符号化されたＴＶ信号から所望のチャンネルの信号を選択する第２チューナと、
前記第２チューナを通して出力される所望のチャンネル信号をチャンネル復号化する第２チャンネル復調器と、
前記第２チャンネル復調器でチャンネル復号化された信号からビデオデータストリームを出力するシステムデコーダと、
前記ビデオデータストリームをビデオデータに復元するビデオデコーダとを含むことを特徴とする請求項１２に記載の受信器。
【請求項２０】
前記デジタルビデオモード時前記メモリをビデオデコーディングのために固定ビット率の伝送率を可変ビット率に変換するチャンネルバッファと動き補償のためのフレームバッファとして使用することを特徴とする請求項１９に記載の受信器。
【請求項２１】
前記モード選択データにより前記第１信号処理手段の出力信号と前記第２信号処理手段の出力信号との中１つをスイッチングするスイッチング手段と、
前記スイッチング手段によりスイッチングされた信号をディスプレイにディスプレイされるように制御するディスプレイ制御手段とをさらに含むことを特徴とする請求項１２に記載の受信器。
【請求項２２】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
デジタル化されたアナログＴＶ信号を入力する第１入力端と、
チャンネル復号化されたデジタルＴＶ信号を入力する第２入力端と、
使用者により選択されたチャンネルがアナログビデオモードのＴＶチャンネルかまたはデジタルビデオモードのＴＶチャンネルかを判断してモード選択信号を発生させる発生手段と、
前記チャンネル復号化されたデジタルＴＶ信号のビデオ復号化のために固定ビット率の伝送率を可変ビット率に変換するためのバッファとして使用されるメモリと、
前記モード選択信号により前記第１入力端及び第２入力端に入力される信号のうち１つを選択して信号処理するが、アナログビデオモード時には前記第１入力端に入力されるデジタル化されたアナログ信号を前記メモリに書込／読出して前記メモリを共有すると共に、前記アナログビデオモード時には前記第１入力端に入力されるデジタル化されたアナログＴＶ信号のＹ／Ｃ分離を行い、前記デジタルビデオモード時には前記システムデコーダから出力されるビデオデータストリームからデジタルビデオ信号を復元するように制御するマイクロプロセッサと、
前記マイクロプロセッサで処理された信号をディスプレイにディスプレイされるように制御するディスプレイ制御手段とを含むことを特徴とする受信器。
【請求項２３】
前記第２入力端から入力されるチャンネル復号化されたデジタルＴＶ信号からビデオデータストリームを抽出するシステムデコーダをさらに含むことを特徴とする請求項２２に記載の受信器。
【請求項２４】
前記マイクロプロセッサは前記アナログビデオモード時には前記第１入力端に入力されるデジタル化されたアナログＴＶ信号のＹ／Ｃ分離を行い、前記デジタルビデオモード時にはシステムデコーディングを行って前記第２入力端に入力されるチャンネル復号化されたデジタルＴＶ信号からビデオデータストリームを抽出することを特徴とする請求項２２に記載の受信器。
【請求項２５】
前記マイクロプロセッサから出力されるビデオデータストリームからデジタルビデオ信号に復元するビデオデコーダをさらに含むことを特徴とする請求項２４に記載の受信器。
【請求項２６】
前記マイクロプロセッサは前記アナログビデオモード時には前記第１入力端に入力されるデジタル化されたアナログＴＶ信号のＹ／Ｃ分離を行い、前記デジタルビデオモード時には前記第２入力端に入力されるチャンネル復号化されたデジタルＴＶ信号からシステムデコーディングのためビデオデータストリームを抽出し、抽出されたビデオデータストリームからデジタルビデオ信号に復元することを特徴とする請求項２２に記載の受信器。
【請求項２７】
前記第２入力端に入力されるチャンネル復号化されたデジタルＴＶ信号からビデオデータストリームを抽出し、抽出されたビデオデータストリームからデジタルビデオ信号を復元するシステム及びビデオデコーダをさらに含むことを特徴とする請求項２２に記載の受信器。
【請求項２８】
前記マイクロプロセッサは前記アナログビデオモード時には前記第１入力端に入力されるデジタル化されたアナログＴＶ信号のＹ／Ｃ分離を行い、前記デジタルビデオモード時にはシステムデコーディング及びビデオデコーディングのため前記デジタルＴＶ信号を前記メモリに書込及び読出できるように制御することを特徴とする請求項２７に記載の受信器。
【請求項２９】
前記マイクロプロセッサは分離された輝度信号を利用して後処理をさらに行うことを特徴とする請求項２２に記載の受信器。
【請求項３０】
前記アナログビデオモード時、前記メモリを前記デジタル化されたアナログＴＶ信号のＹ／Ｃ分離のためのフレームメモリとして使用することを特徴とする請求項２２に記載の受信器。
【請求項３１】
前記アナログビデオモード時、前記メモリをＹ／Ｃ分離と後処理のためのフレームメモリとして使用することを特徴とする請求項２９に記載の受信器。
【請求項３２】
前記デジタルビデオモード時前記メモリを固定ビット率の伝送率を可変ビット率に変換するチャンネルバッファ、動き補償のためのフレームバッファとディスプレイバッファとして使用することを特徴とする請求項２２に記載の受信器。
【請求項３３】
前記第２入力端に入力されるチャンネル復号化されたデジタルＴＶ信号からビデオデータストリームを抽出するシステムデコーダをさらに含むことを特徴とする請求項２２に記載の受信器。
【請求項３４】
前記マイクロプロセッサは前記アナログビデオモード時には前記第１入力端に入力されるデジタル化されたアナログＴＶ信号の後処理を行い、前記デジタルビデオモード時には前記システムデコーダから出力されるビデオデータストリームからデジタルビデオ信号を復元することを特徴とする請求項３３に記載の受信器。
【請求項３５】
前記マイクロプロセッサは前記アナログビデオモード時には前記第１入力端に入力されるデジタル化されたアナログＴＶ信号の後処理を行い、前記デジタルビデオモード時には前記第２入力端に入力されるチャンネル復号化されたデジタルＴＶ信号のシステムデコーディングを行ってビデオデータストリームを抽出することを特徴とする請求項２２に記載の受信器。
【請求項３６】
前記マイクロプロセッサでは前記ビデオデータストリームからデジタルビデオ信号を復元するビデオデコーダをさらに含むことを特徴とする請求項３５に記載の受信器。
【請求項３７】
前記マイクロプロセッサは前記アナログビデオモード時には前記第１入力端に入力されるデジタル化されたアナログＴＶ信号の後処理を行い、前記デジタルビデオモード時には前記第２入力端に入力されるチャンネル復号化されたデジタルＴＶ信号のシステムデコーディングを行ってビデオデータストリームを抽出し、抽出されたビデオデータストリームからデジタルビデオ信号を復元することを特徴とする請求項２２に記載の受信器。
【請求項３８】
前記第２入力端に入力されるチャンネル復号化されたデジタルＴＶ信号からビデオデータストリームを抽出し、抽出されたビデオデータストリームからビデオデータを復元するシステム及びビデオデコーダをさらに含むことを特徴とする請求項２２に記載の受信器。
【請求項３９】
前記マイクロプロセッサは前記アナログビデオモード時には前記第１入力端に入力されるデジタル化されたアナログＴＶ信号の後処理を行い、前記デジタルビデオモード時にはシステムデコーディング及びビデオデコーディングのため前記デジタルＴＶ信号を前記メモリに書込及び読出できるように制御することを特徴とする請求項３８に記載の受信器。
【請求項４０】
前記アナログビデオモード時前記メモリの後処理のためのフレームメモリとして使用することを特徴とする請求項３４に記載の受信器。
【請求項４１】
前記デジタルビデオモード時前記メモリを固定ビット率の伝送率を可変ビット率に変換するチャンネルバッファ、動き補償のためのフレームバッファとディスプレイバッファとして使用することを特徴とする請求項３４に記載の受信器。
【請求項４２】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
チャンネル復調されたアナログＴＶ信号を入力する第１入力端と、
チャンネル復号化されたデジタルＴＶ信号を入力する第２入力端と、
アナログビデオモードまたはデジタルビデオモードかを示すモード選択信号をチャンネルキーにより発生させる発生器と、
前記チャンネル復号化されたデジタルＴＶ信号のソース復号化のために固定ビット率の伝送率を可変ビット率に変換するためのバッファとしてデジタルビデオモード時に使用され、前記チャンネル変調されたアナログＴＶ信号を処理するため、後処理のためのフレームメモリとしてアナログビデオモード時に使用されるデータを貯蔵するメモリと、モード選択信号によりデジタルビデオモード時にはデジタルＴＶ信号を、アナログビデオモード時にはデジタル化されたアナログＴＶ信号を前記メモリに書込／読出すように制御するマイクロプロセッサと、
前記チャンネル復調されたアナログＴＶ信号を受信する入力端、前記メモリから読出されたデータを前記マイクロプロセッサから入力する入力端、前記メモリにデータを貯蔵するため前記マイクロプロセッサにデータを出力する出力端、処理されたアナログＴＶ信号を出力する出力端を具備したアナログ処理手段と、
前記チャンネル復号化されたデジタルＴＶ信号を受信する入力端、前記マイクロプロセッサに連結された入出力端、前記チャンネル復号化されたデジタルＴＶ信号から復元されたデジタルＴＶ信号を出力するための端子を具備したデジタル処理手段と、
復元されたデジタルＴＶ信号と前記処理されたアナログＴＶ信号のうち１つをモード選択信号により選択するスイッチング手段と、
前記スイッチング手段からスイッチングされた信号をディスプレイにディスプレイされるように制御するディスプレイ制御手段とを含むことを特徴とする受信器。
【請求項４３】
前記デジタル処理手段は前記チャンネル復号化されたデジタルＴＶ信号からシステムデコーディングを行ってビデオデータストリームを抽出し、抽出されたビデオデータストリームからデジタルビデオ信号を復元することを特徴とする請求項４２に記載の受信器。
【請求項４４】
前記デジタル処理手段は前記チャンネル復号化されたデジタルＴＶ信号からビデオデータストリームを抽出し、抽出されたビデオデータストリームからデジタルビデオ信号を復元し、前記復元されたデジタルビデオ信号をアナログビデオ信号に変換することを特徴とする請求項４２に記載の受信器。
【請求項４５】
前記デジタルビデオモード時、前記メモリを固定ビット率の伝送率を可変ビット率に変換するチャンネルバッファ、動き補償のためのフレームバッファとディスプレイバッファとして使用することを特徴とする請求項４２に記載の受信器。
【請求項４６】
前記アナログ処理手段は前記チャンネル復調されたアナログＴＶ信号のＹ／Ｃ分離を行うことを特徴とする請求項４２に記載の受信器。
【請求項４７】
前記アナログビデオモード時、前記メモリを前記チャンネル復調されたアナログＴＶ信号のＹ／Ｃ分離のためのフレームメモリとして使用することを特徴とする請求項４６に記載の受信器。
【請求項４８】
前記アナログ処理手段は前記チャンネル復調されたアナログＴＶ信号の後処理を行うことを特徴とする請求項４２に記載の受信器。
【請求項４９】
前記アナログビデオモード時、前記メモリを前記チャンネル復調されたアナログＴＶ信号の後処理のためのフレームメモリとして使用することを特徴とする請求項４８に記載の受信器。
【請求項５０】
前記アナログ処理手段は前記チャンネル復調されたアナログＴＶ信号のＴ／Ｃ分離と後処理とを行うことを特徴とする請求項４２に記載の受信器。
【請求項５１】
前記アナログビデオモード時、前記メモリを前記チャンネル復調されたアナログＴＶ信号のＴ／Ｃ分離と後処理とのためのフレームメモリとして使用することを特徴とする請求項５０に記載の受信器。
【請求項５２】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
チャンネル復調されたアナログＴＶ信号を入力する第１入力端と、
チャンネル復号化されたデジタルＴＶ信号を入力する第２入力端と、
アナログビデオモードまたはデジタルビデオモードかを示すモード選択信号をチャンネルキーにより発生させる発生器と、
前記チャンネル復号化されたデジタルＴＶ信号のビデオデコーディングのため固定ビット率の伝送率を可変ビット率に変換するためのバッファとしてデジタルビデオモード時に使用され、前記チャンネル変調されたアナログＴＶ信号を処理するため、後処理のためのフレームメモリとしてアナログビデオモード時に使用されるデータを貯蔵するメモリと、
前記チャンネル復号化されたデジタルＴＶ信号を受信する入力端を具備し、前記チャンネル復号化されたデジタルＴＶ信号からデジタルビデオ信号を復元し、前記モード選択信号によりデジタルビデオモード時には前記チャンネル復号化されたデジタルＴＶ信号を、アナログビデオモード時にはデジタル化されたアナログＴＶ信号を前記メモリに書込／読出すように制御するマイクロプロセッサと、
前記チャンネル復調されたアナログＴＶ信号を受信する入力端、前記メモリから読出されたデータを前記マイクロプロセッサから入力する入力端、前記メモリにデータを貯蔵するため前記マイクロプロセッサに出力する出力端、処理されたアナログＴＶ信号を出力する出力端を具備したアナログ処理手段と、
前記マイクロプロセッサから復元されたデジタルビデオ信号と前記処理されたアナログＴＶ信号のうち１つを選択するスイッチング手段と、
前記スイッチング手段からスイッチングされた信号をディスプレイにディスプレイされるように制御するディスプレイ制御手段とを含むことを特徴とする受信器。
【請求項５３】
前記マイクロプロセッサは前記チャンネル復号化されたデジタルＴＶ信号をマルチプレキシングし、前記チャンネル復号化されたデジタルＴＶ信号からシステムデコーディングを行ってビデオデータストリームを抽出し、前記抽出されたビデオデータストリームからデジタルビデオ信号を復元することを特徴とする請求項５２に記載の受信器。
【請求項５４】
前記マイクロプロセッサから出力される復元されたデジタルビデオ信号をアナログ信号に変換して前記スイッチング手段に供給するデジタル処理手段をさらに含むことを特徴とする請求項５２に記載の受信器。
【請求項５５】
前記ディスプレイ制御手段はスイッチングされた信号をアナログ信号に変換することを特徴とする請求項５２に記載の受信器。
【請求項５６】
前記デジタルビデオモード時、前記メモリを前記チャンネル復号化されたデジタルＴＶ信号を一時的に貯蔵するバッファ、固定ビット率の伝送率を可変ビット率に変換するチャンネルバッファ、動き補償のためのフレームバッファとディスプレイバッファとして使用することを特徴とする請求項５３に記載の受信器。
【請求項５７】
前記アナログ処理手段は前記チャンネル復調されたアナログＴＶ信号のＹ／Ｃ分離を行うことを特徴とする請求項５２に記載の受信器。
【請求項５８】
前記アナログビデオモード時、前記メモリを前記チャンネル復調されたアナログＴＶ信号のＹ／Ｃ分離のためのフレームメモリとして使用することを特徴とする請求項５７に記載の受信器。
【請求項５９】
前記アナログ処理手段は前記チャンネル復調されたアナログＴＶ信号の後処理を行うことを特徴とする請求項５２に記載の受信器。
【請求項６０】
前記アナログビデオモード時、前記メモリを前記チャンネル復調されたアナログＴＶ信号の後処理のためのフレームメモリとして使用することを特徴とする請求項５９に記載の受信器。
【請求項６１】
前記アナログ処理手段は前記チャンネル復調されたアナログＴＶ信号のＹ／Ｃ分離と後処理とを行うことを特徴とする請求項５２に記載の受信器。
【請求項６２】
前記アナログビデオモード時、前記メモリを前記チャンネル復調されたアナログＴＶ信号のＹ／Ｃ分離と後処理とのためのフレームメモリとして使用することを特徴とする請求項６１に記載の受信器。
【請求項６３】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
チャンネル復調されたアナログＴＶ信号を入力する第１入力端と、
チャンネル復号化されたデジタルＴＶ信号を入力する第２入力端と、
アナログビデオモードまたはデジタルビデオモードかを示すモード選択信号をチャンネルキーにより発生させる発生器と、
前記チャンネル復号化されたデジタルＴＶ信号のソース復号化のため固定ビット率の伝送率を可変ビット率に変換するためのバッファとしてデジタルビデオモード時に使用され、また前記チャンネル復調されたアナログＴＶ信号を処理するため、後処理のためのフレームメモリとしてアナログビデオモード時に使用されるデータを貯蔵するメモリと、
前記チャンネル復号化されたデジタルＴＶ信号を受信する入力端を具備し、前記チャンネル復号化されたデジタルＴＶ信号からビデオデータストリームを抽出し、前記モード選択信号によりデジタルビデオモード時には前記チャンネル復号化されたデジタルＴＶ信号を、アナログビデオモード時にはデジタル化されたアナログＴＶ信号を前記メモリに書込／読出すように制御するマイクロプロセッサと、
前記チャンネル復調されたアナログＴＶ信号を受信する入力端、前記メモリから読出されたデータを前記マイクロプロセッサから入力する入力端、前記メモリにデータを貯蔵するため前記マイクロプロセッサに出力する出力端、処理されたアナログＴＶ信号を出力する出力端を具備したアナログ処理手段と、
前記ビデオデータストリームからデジタルビデオ信号を復元するデジタル処理手段と、
前記デジタル処理手段の出力信号と前記処理されたアナログＴＶ信号のうち１つを選択するスイッチング手段と、
前記スイッチング手段からスイッチングされた信号をディスプレイにディスプレイされるように制御するディスプレイ制御手段とを含むことを特徴とする受信器。
【請求項６４】
前記マイクロプロセッサは前記チャンネル復号化されたデジタルＴＶ信号をマルチプレキシングし、前記チャンネル復号化されたデジタルＴＶ信号からビデオデータストリームを抽出することを特徴とする請求項６３に記載の受信器。
【請求項６５】
前記デジタル処理手段は復元されたデジタルビデオ信号をアナログ信号に変換することを特徴とする請求項６３に記載の受信器。
【請求項６６】
前記ディスプレイ制御手段は前記スイッチング手段からスイッチングされた信号をアナログ信号に変換することを特徴とする請求項６３に記載の受信器。
【請求項６７】
前記デジタルビデオモード時、前記メモリを前記チャンネル復号化されたデジタルＴＶ信号を一時的に貯蔵するバッファ、固定ビット率の伝送率を可変ビット率に変換するチャンネルバッファ、動き補償のためのフレームバッファとディスプレイバッファとして使用することを特徴とする請求項６４に記載の受信器。
【請求項６８】
前記アナログ処理手段は前記チャンネル復調されたアナログＴＶ信号のＹ／Ｃ分離を行うことを特徴とする請求項６３に記載の受信器。
【請求項６９】
前記アナログビデオモード時、前記メモリを前記チャンネル復調されたアナログＴＶ信号のＹ／Ｃ分離のためのフレームメモリとして使用することを特徴とする請求項６８に記載の受信器。
【請求項７０】
前記アナログ処理手段は前記チャンネル復調されたアナログＴＶ信号の後処理を行うことを特徴とする請求項６３に記載の受信器。
【請求項７１】
前記アナログビデオモード時、前記メモリを前記チャンネル復調されたアナログＴＶ信号の後処理のためのフレームメモリとして使用することを特徴とする請求項７０に記載の受信器。
【請求項７２】
前記アナログ処理手段は前記チャンネル復調されたアナログＴＶ信号のＹ／Ｃ分離と後処理とを行うことを特徴とする請求項６３に記載の受信器。
【請求項７３】
前記アナログビデオモード時、前記メモリを前記チャンネル復調されたアナログＴＶ信号のＴ／Ｃ分離と後処理とのためのフレームメモリとして使用することを特徴とする請求項７２に記載の受信器。
【請求項７４】
所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、
チャンネル復調されたアナログＴＶ信号を入力する第１入力端と、
チャンネル復号化されたデジタルＴＶ信号を入力する第２入力端と、
アナログビデオモードまたはデジタルビデオモードかを示すモード選択信号をチャンネルキーにより発生させる発生器と、
前記チャンネル復号化されたデジタルＴＶ信号のソース復号化のため固定ビット率の伝送率を可変ビット率に変換するためのバッファとしてデジタルビデオモード時に使用され、前記チャンネル復調されたアナログＴＶ信号を処理するため、後処理のためのフレームメモリとしてアナログビデオモード時に使用されるデータを貯蔵するメモリと、
前記チャンネル復号化されたデジタルＴＶ信号を受信する入力端を具備し、前記チャンネル復号化されたデジタルＴＶ信号からビデオデータストリームを抽出するデジタル処理手段と、
前記デジタル処理手段から抽出されたビデオデータストリームを入力してデジタルビデオ信号に復元し、アナログビデオモード時にはデジタル化されたアナログＴＶ信号を前記メモリに書込／読出すように制御するマイクロプロセッサと、
前記チャンネル復調されたアナログＴＶ信号を受信する入力端、前記メモリから読出されたデータを前記マイクロプロセッサから入力する入力端、前記メモリにデータを貯蔵するためマイクロプロセッサにデータを出力する出力端、処理されたアナログＴＶ信号を出力する出力端を具備したアナログ処理手段と、
前記デジタル処理手段の出力信号と前記処理されたアナログＴＶ信号のうち１つを選択するスイッチング手段と、
前記スイッチング手段からスイッチングされた信号をディスプレイにディスプレイされるように制御するディスプレイ制御手段とを含むことを特徴とする受信器。
【請求項７５】
前記マイクロプロセッサで復元されたデジタルビデオ信号をアナログ信号に変換して前記スイッチング手段に供給する変換手段をさらに含み、この際、前記アナログ処理手段から出力される信号はアナログ信号であることを特徴とする請求項７４に記載の受信器。
【請求項７６】
前記ディスプレイ制御手段は前記スイッチング手段からスイッチングされた信号をアナログ信号に変換し、この際スイッチングされた信号はデジタル信号であることを特徴とする請求項７４に記載の受信器。
【請求項７７】
前記デジタルビデオモード時、前記メモリを固定ビット率の伝送率を可変ビット率に変換するチャンネルバッファ、動き補償のためのフレームバッファとディスプレイバッファとして使用することを特徴とする請求項７４に記載の受信器。
【請求項７８】
前記アナログ処理手段は前記チャンネル復調されたアナログＴＶ信号のＹ／Ｃ分離を行うことを特徴とする請求項７４に記載の受信器。
【請求項７９】
前記アナログビデオモード時、前記メモリを前記チャンネル復調されたアナログＴＶ信号のＹ／Ｃ分離のためのフレームメモリとして使用することを特徴とする請求項７８に記載の受信器。
【請求項８０】
前記アナログ処理手段は前記チャンネル復調されたアナログＴＶ信号の後処理を行うことを特徴とする請求項７４に記載の受信器。
【請求項８１】
前記アナログビデオモード時、前記メモリを前記チャンネル復調されたアナログＴＶ信号の後処理のためのフレームメモリとして使用することを特徴とする請求項８０に記載の受信器。
【請求項８２】
前記アナログ処理手段は前記チャンネル復調されたアナログＴＶ信号のＹ／Ｃ分離と後処理とを行うことを特徴とする請求項７４に記載の受信器。
【請求項８３】
前記アナログビデオモード時、前記メモリを前記チャンネル復調されたアナログＴＶ信号のＹ／Ｃ分離と後処理とのためのフレームメモリとして使用することを特徴とする請求項８２に記載の受信器。
【請求項８４】
所定のアナログ放送方式によりアナログ処理されたＴＶ信号を受信するアナログビデオモードと所定のデジタル信号フォーマットによりデジタル処理されたＴＶ信号を受信するデジタルビデオモードとを有し、前記受信されるアナログＴＶ信号を信号処理する第１信号処理手段と、前記受信されるデジタルＴＶ信号を復号化する第２信号処理手段と、前記第２信号処理手段により固定ビット率の伝送率を可変ビット率に変換するためのバッファとしてデジタルビデオモード時に使用され、前記第１信号処理手段より後処理のためのフレームメモリとしてアナログビデオモード時に使用されるデータを貯蔵するメモリとを有する受信器での前記ＴＶ信号の受信方法において、
（ａ）使用者により選択されたチャンネルがアナログビデオモードのＴＶチャンネルかまたはデジタルビデオモードのＴＶチャンネルかを判断してモード選択信号を発生させる段階と、
（ｂ）前記モード選択信号に応じて、アナログビデオモード時には前記第１信号処理手段で処理された信号を前記メモリに書込み及び読出すため、またデジタルビデオモード時にはデジタルＴＶ信号を書込／読出すため使用されるように前記メモリを制御すると共に、前記第１及び第２信号処理手段の出力の中１つを選択して前記メモリに書込み、前記メモリに貯蔵されたデータを前記選択された信号処理手段に供給する段階とを含むことを特徴とする受信方法。
【発明の詳細な説明】
【０００１】
【発明の属する技術分野】
本発明はアナログとデジタルビデオモードを有する受信器及びその受信方法に係り、特にアナログビデオモード時デジタルテレビジョン（以下、ＴＶと称する）信号処理のためのメモリを共有する受信器及びその受信方法に関する。
【０００２】
【従来の技術】
デジタルビデオモードとは送信器（例えば放送局）でＭＰＥＧ（Ｍｏｖｉｎｇ  Ｐｉｃｔｕｒｅ  Ｅｘｐｅｒｔｓ  Ｇｒｏｕｐ）標準によりデジタルに処理されたＴＶ信号を受信することであり、アナログビデオモードとはＮＴＳＣ、ＰＡＬ、またはＳＥＣＡＭ等のような既存の放送方式によりアナログ処理された信号を受信することである。
【０００３】
ＭＰＥＧ−２により符号化されたビットストリームを復号化するセットトップボックス（ＳＥＴ−ＴＯＰ−ＢＯＸ：ＳＴＢ）またはＳＴＢを内蔵したデジタルＴＶ等が開発されているが既存のアナログビデオサービスも相当期間行われる見込である。
このような状況に対応するため、ＴＶ受信器はアナログとデジタルビデオモードの両方を採用することになった。アナログとデジタルビデオモードを有するＴＶ受信器は、デジタルＴＶ信号の復号化のために８−３２Ｍｂｉｔｓのメモリが要求されるが、アナログビデオモード時にはデジタルビデオ復号化のために具備された８−３２Ｍｂｉｔｓの大容量のメモリは使用されない。
【０００４】
一方、既存のアナログビデオモードを有する受信器は図１に示されたように、チューナ１１で送信器（図示せず）から伝送されるアナログＴＶチャンネルの信号の中使用者が所望のＴＶチャンネルの信号を選択して中間周波数（以下、ＩＦと称する）信号として出力する。
チャンネル復調器１２ではチューナ１１で選択されたチャンネルのＩＦ信号を増幅する（ここで、増幅された信号でビデオ信号とサウンド信号を分離するが、簡略化のためにビデオ信号処理のみに対して図示及び説明される）。
【０００５】
輝度（Ｙ）／色（Ｃ）分離器１３ではチャンネル復調器１２から出力されるビデオ信号からＹ信号とＣ信号を分離する。この際Ｙ／Ｃ分離はフレームメモリ１４に貯蔵された前のフレームと現在のフレームとの相関度及び／または現在のラインと隣接ラインとの相関度を利用する。分離された信号はフレームメモリ１４に貯蔵されると共にディスプレイ接続部１５に入力される。
【０００６】
ディスプレイ接続部１５ではＹ／Ｃ分離器１３から出力されるＹとＣ信号をアナログＲ、Ｇ、Ｂ信号として変換した後、ディスプレイ１６に出力する。ここで、ディスプレイは一例として受像管である。
チューナ１１、チャンネル復調器１２、Ｙ／Ｃ分離器１３はアナログＴＶ信号処理部１００に該当する。また、チャンネル復調器１２の出力がフレームメモリ１４にデジタルデータとして貯蔵されるためにはチャンネル復調器１２の出力がデジタル信号形態に変換されるアナログ／デジタル（Ａ／Ｄ）変換器がさらに構成され、ディスプレイ接続部１５の出力がアナログ信号としてディスプレイ１６にディスプレイされるためにはディスプレイ接続部１５の出力がアナログ信号形態に変換するＤ／Ａ変換器が構成されうる。
【０００７】
一方、従来のアナログＴＶでコームフィルター等を使用してＹ／Ｃ分離を行う場合Ｙ／Ｃ分離が足りなくてクロスカラーまたはクロスルミナンス現象のような問題点が発生し、これを改善するために図１のようにフレームメモリ１４を具備して時々フレームコームフィルタリングと知られた３次元Ｙ／Ｃ分離を行うことにより画質を改善させている。
【０００８】
また、さらに優秀な画質を得るためにＹ／Ｃ分離を行った後、後処理を行う場合にもフレームメモリが使用されうる。即ち、フレームメモリを利用して現在フレームと以前フレームとの相関度によりエッジ成分であるかを判別してエッジを強調する。
このように、画質を効果的に改善するための改善策の中多くの方法等が高容量のメモリを要求してメモリ使用に因してコスト高となるので効果は最適でないが制限されたメモリのみで具現可能な方法等が使用された。
【０００９】
図２は従来のＭＰＥＧ−２に符号化されたＴＶ信号を受信するデジタルＴＶの概略的なブロック図である。図２において、チューナ２１ではアンテナを通して伝送されるＴＶ信号で所望のチャンネルの信号を選択する。この際アンテナを通して伝送されるＴＶ信号はＭＰＥＧ−２のパケット構造で入力される。
即ち、ＭＰＥＧ−２フォーマットを見ると伝送路上のデータのシステム層は１８８バイト単位のパケットよりなる。付加的に、パケット構造はシンクとサイド情報よりなるヘッダ情報とヘッダ情報を除けた他の領域にはビデオデータ、オーディオデータまたは使用者データ等が含まれている。ここで、ビデオデータはピクチャ間符号化またはピクチャ内符号化に圧縮されている。
【００１０】
ここで、ピクチャ間符号化によれば１  ＧＯＰ（通常１５個のピクチャで構成）単位中イントラピクチャに追従するプリディックティドピクチャ（ｐｒｅｄｉｃｔｅｄ  ｐｉｃｔｕｒｅ）と二方向プリディックティドピクチャは、符号化しようとするピクチャと符号化した他のピクチャ間の差のみを符号化する。
１  ＧＯＰ内には他の画面データなく独立的にコーディング可能なイントラ（Ｉ）ピクチャデータと、前のイントラピクチャデータやプリディックティドピクチャデータから隣接するピクチャの間の動き補償を利用してコーディング可能なプリディックティド（Ｐ）ピクチャデータと、前のイントラピクチャデータまたはプリディックティドピクチャデータと、追従するイントラピクチャデータまたはプリディックティドピクチャデータから動き補償を利用してコーディング可能な二方向プリディックティド（Ｂ）ピクチャデータを含む。
【００１１】
チャンネル復調器２２はＱＰＳＫ復調器、リードーソロモン復号化器、ビタービ（Ｖｉｔｅｒｂｉ）復号化器等を具備してチューナ２１を通して伝送される所望のデジタルＴＶチャンネルの信号をＭＰＥＧ−２ビットストリームに変換させる。
システムデコーダ２３はＭＰＥＧ−２ビットストリームをまたオーディオとビデオデータストリームとに分離する。ここで、オーディオデータストリームから出力されるオーディオ信号をデコーディングするオーディオデコーダとデコーディングされたオーディオ信号を信号処理するオーディオ信号処理部が含まれることが望ましいが、図１ではビデオ信号処理のみが説明される。
【００１２】
ビデオデコーダ２４ではシステムデコーダ２３から出力されるビデオデータストリームで可変長復号化する可変長復号器、可変長復号化されたデータを逆量子化する逆量子化器、ＩＤＣＴ（Ｉｎｖｅｒｓｅ  Ｄｉｓｃｒｅｔｅ  Ｃｏｓｉｎｅ  Ｔｒａｎｓｆｏｒｍ）動作を行うＩＤＣＴ動作器及び動き−予測データを計算するための動き補償器を含み、圧縮されたデータを本来のデータに復元してディスプレイ２７にディスプレイする。ここで、ディスプレイ接続部２６は復元されたビデオデータをディスプレイ２７にディスプレイする前にアナログＲＧＢ信号に変換する過程を行う。
【００１３】
メモリ２５はビデオデコーダ２４で行われるデジタルビデオデータのビデオデコーディング（ソース−復号化とも称する）のために使用される。即ち、メモリ２５は、システムデコーダ２３から出力されるビデオデータストリームが固定されたビット率を有するので可変長復号化する前可変ビット率に変換するためのＶＢＶ（Ｖｉｄｅｏ  Ｂｕｆｆｅｒｉｎｇ  Ｖｅｒｉｆｉｅｒ）バッファ（チャンネルバッファとも称する）と、前のフレームデータから動きベクトルに相応する所定大きさのＤＣＴブロックを読出し、読出されたブロックデータと逆ＤＣＴデータを加算して動きを補償した後、ＰとＢピクチャを復元するためのフレームバッファ等を含む。従ってビデオデータストリームの復号化のためにメモリ２５は約８−３２Ｍｂｉｔｓのメモリがフレームバッファ等とＶＢＶバッファ用として必要となる。
【００１４】
ここで、チューナ２１、チャンネル復調器２２、システムデコーダ２３、ビデオデコーダ２４はデジタルＴＶ信号処理部２００に該当する。また、デジタルＴＶ信号処理部２００とメモリ２５をＳＴＢと称する。
相当期間、ＮＴＳＣ、ＰＡＬのようなアナログＴＶサービスが存在し続けるので民生用のテレビシステムはアナログとデジタルビデオサービスの両方をディスプレイすべきである。次のような２つの方法が予測できる。
【００１５】
図３に示されたように、デジタルビデオサービスのための全ての処理をＳＴＢ２１０で行った後、復元された映像信号を既存のアナログＴＶ１１０のビデオ入力端子に印加してアナログＴＶ１１０でもデジタルビデオサービスができるように開発されている。
そして、図４に示されたように、ＴＶではデジタルＴＶ信号処理部２００とメモリ２５を具備してアナログビデオサービスとデジタルビデオサービスの両方できるように開発されている。
【００１６】
従って、図３及び図４に示されたように、アナログＴＶ信号処理においても、Ｙ／Ｃ分離または所定の画質改善のための後処理のためにフレームメモリを使用し、テレビがアナログビデオサービスのみを受信する時はデジタルビデオ復号化のための８−３２Ｍｂｉｔｓの膨大なメモリは使用されない。
デジタルビデオ復号化機能を内蔵したＴＶには必ず所定量のメモリ（８−３２Ｍｂｉｔｓ）が存在するが、デジタルビデオサービスを受けずアナログビデオサービスを受ける場合このデジタルビデオ復号化機能のための膨大なメモリは使用されないのでＴＶシステム内に既に存在する資源が使用できない問題点がある。
【００１７】
【発明が解決しようとする課題】
前記問題点を克服するための本発明の目的はアナログとデジタルモードを両方有する受信器において、アナログビデオモード時デジタルビデオ復号化のためのメモリをアナログＴＶ信号の処理のため共有する受信器を提供することにある。本発明の他の目的はアナログビデオモード時デジタルビデオ復号化のためのメモリをアナログＴＶ信号の処理のため共有する受信方法を提供することにある。
【００１８】
【課題を解決するための手段】
前記目的を達成するための本発明の装置は、所定のアナログ放送方式によりアナログ処理されたＴＶ信号を受信するアナログビデオモードと所定のデジタル信号フォーマットによりデジタル処理されたＴＶ信号を受信するデジタルビデオモードを有する受信器において、受信されるアナログＴＶ信号を信号処理する第１信号処理手段と、受信されるデジタルＴＶ信号を復号化する第２信号処理手段と、前記第２信号処理手段でデジタル化されたアナログＴＶ信号を処理するためデータを貯蔵するメモリと、アナログビデオモードまたはデジタルビデオモードを示すモード選択信号を発生する発生手段と、前記モード選択信号に応じてアナログビデオモード時には前記第１信号処理手段で処理された信号を前記メモリに書込及び読出すため、またデジタルビデオモード時にはデジタルＴＶ信号を前記メモリに書込／読出すため使用されるように前記メモリを制御するメモリ制御手段とを含むことを特徴とする。
【００１９】
前記他の目的を達成するための本発明の方法は所定のアナログ放送方式によりアナログ処理されたＴＶ信号と所定のデジタル信号フォーマットによりデジタル処理されたＴＶ信号を受信する方法において、（ａ）使用者により選択されたチャンネルがアナログビデオモードのＴＶチャンネルかまたはデジタルビデオモードのＴＶチャンネルかを判断してモード選択信号を発生させる段階と、（ｂ）前記モード選択信号によりデジタルビデオモード時には受信されるデジタルＴＶ信号をデジタルビデオ復号用メモリに貯蔵し、前記メモリに貯蔵されたデータを利用して復号化し、アナログビデオモード時には受信されるアナログＴＶ信号を前記デジタルビデオ復号化用のメモリに貯蔵し、前記メモリに貯蔵されたデータを読出して処理する段階とを含むことを特徴とする。
【００２０】
【発明の実施の形態】
以下、添付の図面に基づき本発明によるアナログとデジタルビデオモードを有する受信器及びその受信方法の望ましい実施例を説明する。
図５は本発明によるアナログとデジタルビデオモードを有する受信器の一実施例による概念的ブロック図である。図５において、アナログＴＶ信号処理部１００とデジタルＴＶ信号処理部２００の構成と動作は図１及び図２で説明した構成及び動作と同じなのでここでは説明しない。
【００２１】
制御部３１０は入力されたチャンネルキーが既存のアナログ放送方式により信号処理されたＴＶチャンネル（以下、アナログＴＶチャンネルと称する）またはＭＰＥＧ−２でデジタル符号化されたＴＶチャンネル（以下、デジタルＴＶチャンネルと称する）かを判断してアナログビデオモードまたはデジタルビデオモードを示すモード選択信号を出力する。
【００２２】
メモリ制御部３２０はモード選択信号によりアナログＴＶ信号処理部１００及びデジタルＴＶ信号処理部２００で処理された出力の中１つを選択してメモリ３３０に書込んだり、またはメモリ３３０に貯蔵されたデータを読出してアナログＴＶ信号処理部１００またはデジタルＴＶ信号処理部２００に供給する。
アナログビデオモード時アナログＴＶ信号処理部１００で処理された信号がマルチプレクサ３４０及びディスプレイ接続部３５０を通してディスプレイ３６０にディスプレイされ、デジタルビデオモード時デジタルＴＶ信号処理部２００から処理された信号がマルチプレクサ３４０及びディスプレイ接続部３５０を通してディスプレイ３６０にディスプレイされる。
【００２３】
ここで、マルチプレクサ３４０は制御部３１０から出力されるモード選択信号により選択された映像信号をディスプレイ接続部３５０に供給する。
メモリ３３０はアナログビデオモード時には図１に基づき前述したようにＹ／Ｃ分離と後処理のためのフレームメモリ（またはフィールドメモリ）で使用され、デジタルビデオモード時には図２に基づき前述したように、固定ビット率の伝送率を変換するＶＢＶバッファと動き補償のためのフレームバッファとして使用される。
【００２４】
図６は図５に示されたメモリ制御部３２０の詳細図である。図６では便宜上メモリ入／出力ラインが１つに示されているが、実際の具現はそれぞれの入／出力ラインに対して構成されうる。ここで、入／出力ラインはメモリ３３０にデータを読出したり書込むため使用されるデータライン、アドレスライン、そしてイネーブルのようなメモリ制御ライン等を通称する。
【００２５】
メモリ制御部３２０はスイッチング役割をする複数個のマルチプレクサ３２０．１−３２０．ｎで構成でき、各マルチプレクサの第１入力端子ａ１  −ａｎ  は図５に示されたデジタルＴＶ信号処理部２００の入／出力ラインと連結されていて、第２入力端子ｃ１  −ｃｎ  は図５に示されたアナログＴＶ信号処理部１００の入／出力ラインと連結されていて、固定端子ｂ１  −ｂｎ  は図５に示されたメモリ３３０の入／出力ラインと連結されている。
【００２６】
従って、各マルチプレクサ３２０．１−３２０．ｎは図５に示された制御部３１０から出力されるモード選択信号がアナログビデオモードを示す場合Ｙ／Ｃ分離及び後処理用のフレームバッファとして使用するためにメモリ３３０の入／出力ラインをアナログＴＶ信号処理部１００の入／出力ラインと連結させる。反対に各マルチプレクサ３２０．１−３２０．ｎはモード選択信号がデジタルビデオモードを示す場合、メモリ３３０を固定ビット率の伝送率を変換するＶＢＶバッファと動き補償のためのフレームバッファとして使用するためにメモリ部３３０の入／出力ラインをデジタルＴＶ信号処理部２００の入／出力ラインと連結させる。
【００２７】
一方、アナログとデジタルビデオモード時バス制御方式を利用してメモリを共有する受信器は図７に示されている。バス制御方式とは制御部（マイクロコンピューター）のデータ出力端等とクロック出力端に連結される二方向データ伝送の可能なデータラインとクロックラインよりなる２つの共用バスラインを通して機能制御ユニット等が制御部４１０と連結されていて、制御部でアドレスとデータを２つの共用バスラインを通して伝送し、伝送されるアドレスは与えられた機能ユニットの固有アドレスに該当し、機能制御ユニットは伝送されたデータにより機能を行う方式を称し、このバス制御方式がＴＶに導入されることにより制御部の制御負担が減り、信号処理時間が短くなった。
【００２８】
図７において、制御部４１０では入力されたチャンネルキーがアナログＴＶチャンネルかまたはデジタルＴＶチャンネルかを判断する。制御部４１０は選択されたチャンネルがアナログＴＶチャンネルならアナログビデオモードに対したモード選択データをデータラインを通してアナログＴＶ信号処理部１００及びメモリ４２０に伝送し、アナログＴＶ信号処理部１００及びメモリ４２０を動作させる。
【００２９】
また、制御部４１０は選択されたチャンネルがデジタルＴＶチャンネルならデジタルビデオモードに対したモード選択データをデータラインを通してデジタルＴＶ信号処理部２００及びメモリ４２０に伝送し、デジタルＴＶ信号処理部２００及びメモリ４２０を動作させる。
アナログビデオモードが選択される時、このメモリ４２０をＹ／Ｃ分離及び後処理のためのフレームメモリとして使用するため、アナログＴＶ信号処理部１００で処理された現在のフレームデータはデータラインを通してメモリ４２０に書込まれ、メモリ４２０に貯蔵された前のフレームデータはデータラインを通してアナログＴＶ信号処理部１００に伝送される。また、メモリ４２０はデジタルビデオモードが選択される時固定ビット率の伝送率を可変ビット率に変換するＶＢＶバッファと動き補償のためのフレームバッファとして使用するためにデジタルＴＶ信号処理部２００で処理されたデータはデータラインを通してメモリ４２０に書込まれ、メモリ４２０に貯蔵された前のデータはデータラインを通してデジタルＴＶ信号処理部２００に伝送される。
【００３０】
制御部４１０から出力されるモード選択信号によりアナログＴＶ信号処理部１００及びデジタルＴＶ信号処理部２００で処理された信号はマルチプレクサ４３０により切換られた後、ディスプレイ接続部４４０を通してディスプレイ４５０に表示される。
図８は本発明の第３実施例によるアナログとデジタルビデオモードを有する受信器に関したブロック図である。ここでは、図５でハードウェアで構成されたメモリ制御部に対した機能、即ちモード選択信号によりアナログ信号処理部１００またはデジタル信号処理部２００を選択する機能がプログラム化されていて、メモリ５１９はデジタルビデオ復号化と、Ｙ／Ｃ分離及び後処理のようなアナログＴＶ信号処理のために交番的に使用される。
【００３１】
また、デジタルビデオ復号化機能を行うマイクロプロセッサ５１８でアナログビデオモード時Ｙ／Ｃ分離及び後処理を行うことによりメモリ５１９を共有可能になっている。
図８において、第１チューナ５１１ではアナログＴＶチャンネル受信用アンテナを通して伝送されるアナログＴＶチャンネルの信号で使用者の希望するチャンネルの信号のみを選択してＩＦ信号として出力する。
【００３２】
第１チャンネル復調器５１２では第１チューナ５１１で選択されたチャンネルのＩＦ信号を増幅してビデオ信号を出力する。Ａ／Ｄ変換器５１３では第１チャンネル復調器５１２から出力されるビデオ信号をデジタル信号形に変換する。
一方、第２チューナ５１４ではデジタルＴＶチャンネル受信用アンテナを通して伝送されるＭＰＥＧ−２に符号化されたデジタルＴＶ信号で所望のチャンネルの信号を選択する。
【００３３】
第２チャンネル復調器５１５では第２チューナ５１４を通して出力される所望のデジタルＴＶチャンネルの信号をＭＰＥＧ−２ビットストリームで出力する。システムデコーダ５１６ではＭＰＥＧ−２ビットストリームから再びビデオデータストリームのみを抽出する。
制御部５１７では入力されたチャンネルキーがアナログＴＶチャンネルまたはデジタルＴＶチャンネルかを判断してアナログビデオモードまたはデジタルビデオモードを示すモード選択信号を出力する。
【００３４】
マイクロプロセッサ５１８ではモード選択信号を判断して第１入力ポートに連結されたＡ／Ｄ変換器５１３の出力を選択したり、第２入力ポートに連結されたシステムデコーダ５１６の出力を選択する。即ち、マイクロプロセッサ５１８ではアナログビデオモード時、Ａ／Ｄ変換器５１３から出力されるデジタル化されたアナログＴＶチャンネル信号を選択して所定のプログラム命令等（例えばｒｅａｄｆｒｏｍ  ａｄｄｒｅｓｓ  ＸＸＸＸ、ｗｒｉｔｅ  ｔｏ  ａｄｄｒｅｓｓ  ＸＸＸ）を利用してメモリ５１９に書込んだり、メモリ５１９から読出してＹ／Ｃ分離及び後処理をすることになる。この際、メモリ５１９はＹ／Ｃ分離と後処理のためのフレームメモリとして使用される。
【００３５】
また、マイクロプロセッサ５１８ではデジタルビデオモード時システムデコーダ５１６から出力されるビデオデータストリームを所定のプログラム命令等（例えばｒｅａｄ  ｆｒｏｍ  ａｄｄｒｅｓｓ  ＹＹＹＹ、ｗｒｉｔｅ  ｔｏ  ａｄｄｒｅｓｓ  ＹＹＹ）を利用してメモリ５１９に書込んだり、メモリ５１９から読出してビデオ復号化する。このビデオ復号化は可変長復号化、逆量子化、逆ＤＣＴ変換等を含む。この際、メモリ５１９は固定ビット率の伝送率を変換するＶＢＶバッファと動き補償のためのフレームバッファとして使用される。
【００３６】
図８のように、マイクロプロセッサ５１８の第１及び第２入力ポートを用いて信号を入力されること以外にマイクロプロセッサ５１８の１つの入力ポートのみを使用するため、入力ポートの前にマルチプレクサを連結して２つの入力間切換を行うように具現しうる。このような変形には図９乃至図１１、図１２乃至図１６の実施例にも同様に適用されうる。
【００３７】
一方、ディスプレイ接続部５２０ではマイクロプロセッサ５１８から出力されるデジタルデータをアナログ信号形に変換し、アナログＲ、Ｇ、Ｂ信号としてディスプレイ５２１にディスプレイする。このディスプレイ接続部は信号変換器とも言われる。
ここで、演算速度の非常に速い一種のマイクロプロセッサ５１８を使用しても高速度を要求する逆ＤＣＴ変換のように、特定の機能のみはハードウェアで具現されうる。
【００３８】
図９乃至図１１は図８に示された第３実施例の各変形例等を示し、図８に示された同一な構成に対しては同一な符号を付し、その詳細な動作説明は省略することにする。
図９に示されたマイクロプロセッサ５２２はアナログビデオモード時Ａ／Ｄ変換器５１３から出力されるデジタル化されたアナログＴＶチャンネル信号を入力して図８で説明されたようにメモリ５１９を用いてＹ／Ｃ分離及び後処理を行う。
【００３９】
また、マイクロプロセッサ５２２はデジタルビデオモード時、第２チャンネル復調器５１５からＭＰＥＧ−２ビットストリームを入力され制御部５１７の制御下でＭＰＥＧ−２ビットストリームからビデオデータストリームを選択抽出した後、ビデオデコーダ５２３に出力する。ビデオデコーダ５２３では抽出されたビデオデータストリームをビデオデータに復元する。
【００４０】
この際、マイクロプロセッサ５２２はビデオデコーダ５２３に必要なＶＢＶバッファ、フレームバッファ及びディスプレイバッファとしてメモリ５１９を使用しうるようにメモリ接続経路を提供する。
マルチプレクサ５２４は制御部５１７からのモード選択信号によりマイクロプロセッサ５２２から出力されるデジタル化されたアナログ信号またはビデオデコーダ５２３で復元されたビデオデータを選択して選択された信号をディスプレイ接続部５２０に供給する。
【００４１】
図１０に示されたマイクロプロセッサ５２５はアナログビデオモード時（図９で説明したように）、Ｙ／Ｃ分離及び後処理を行い、デジタルビデオモード時にはＭＰＥＧ−２システムデコーディング及びビデオデコーディングを行う。即ち、デジタルビデオモードの場合、第２チャンネル復調器５１５からＭＰＥＧ−２ビットストリームを入力されビデオデータストリームを抽出した後、抽出されたビデオデータストリームからビデオデータを復元するまでにマイクロプロセッサ５２５により行う。
【００４２】
図１１に示されたマイクロプロセッサ５２７はアナログビデオモード時とデジタルビデオモード時との各場合にメモリ５１９を共有しうるようにするメモリ制御機能及びアナログモード時には図９及び図１０で説明したようにＹ／Ｃ分離及び後処理を行う。
一方、デジタルビデオモード時にはＭＰＥＧ−２システムデコーディング及びビデオデコーディングはシステム及びビデオデコーダ５２６により行われる。そしてマルチプレクサ５２８は制御部５１７からのモード選択信号によりマイクロプロセッサ５２７から出力されるデジタル化されたアナログ信号またはシステム及びビデオデコーダ５２６から出力される復元されたビデオデータを選択して選択された信号をディスプレイ接続部５２０に供給する。
【００４３】
図１２は本発明の第４実施例によるアナログとデジタルビデオモードを有する受信器のブロック図であって、図８と同一な構成の第１チューナ６１１、第１チャンネル復調器６１２、第２チューナ６１４、第２チャンネル復調器６１５とシステムデコーダ６１６、ディスプレイ接続部６２０とディスプレイ６２１の詳細な動作は略する。
【００４４】
図８に示された第３実施例ではメモリ制御機能がマイクロプロセッサ５１８にプログラム化されている反面、第４実施例では３−Ｄ（ｄｉｍｅｎｓｉｏｎａｌ）Ｙ／Ｃ分離または後処理のようなアナログ処理はマイクロプロセッサ６１８の外部に分離されたアナログ処理器６１３で行われる。アナログ処理器６１３の詳しい構成は図１３に示されたようにＡ／Ｄ変換器７０１、アナログＴＶ信号処理器７０２及びＤ／Ａ変換器７０３となっている。
【００４５】
Ａ／Ｄ変換器７０１で図１２の第１チャンネル復調器６１２から出力されるチャンネル復調された信号をデジタルデータに変換する。このデジタルデータはアナログＴＶ信号処理器７０２に入力された後、メモリ制御器として動作するマイクロプロセッサ６１８を通してメモリ６１９に貯蔵される。メモリ６１９に貯蔵されたアナログＴＶ信号はＹ／Ｃ分離または後処理のためアナログＴＶ信号処理器７０２により使用される。アナログＴＶ信号処理器７０２で処理された出力は読出される前にメモリ６１９に一時的に貯蔵され、Ｄ／Ａ変換器７０３でアナログ信号に変換される。
【００４６】
一方、デジタルビデオサービスの場合、ＭＰＥＧ−２ビットストリームはシステムデコーダ６１６でビデオデータストリームに復号化され、このビデオデータストリームはマイクロプロセッサ６１８によりビデオデータに復元される。復元されたデータはＤ／Ａ変換器６２３でアナログ信号に変換される。
チャンネルキー入力によりモードを認識する制御部６１７から出力されるモード選択信号によりマルチプレクサ６２２はアナログ処理器６１３で処理されたアナログＴＶ信号またはＤ／Ａ変換器６２３から出力されるアナログビデオ信号を選択する。
【００４７】
この際、図１２のディスプレイ接続部６２０はアナログ信号に変換されたデータを受入れＲ、Ｇ、Ｂ信号に変換してディスプレイ６２１に出力する。この変形例として、ディスプレイ接続部６２０はアナログ処理器６１３の構成要素の中１つのデジタル／アナログ変換器７０３及びデジタル／アナログ変換器６２３が通じ合われた形で内部に具現しうるが、この際、マルチプレクサ６２２はデジタル信号を入力してアナログ信号に変換した後アナログＲ、Ｇ、Ｂ信号でディスプレイ６２１に出力する。このような変形例には図１４、図１５及び図１６にも適用される。
【００４８】
一方、図１２の実施例はマイクロプロセッサ６１８を使用してソフトウェアによりＭＰＥＧ復号化を具現する程度に依存して多少変形されうる。
図１４乃至図１６は図１２に示された第４実施例の変形例等であって、図１２に示された同一な構成に対しては同一な符号を付し、その詳細な動作説明は略する。図１４に示されたマイクロプロセッサ８０１はメモリ６１９の制御のみを行う。ＭＰＥＧ−２ビットストリーム復号化とビデオデータストリーム復号化はマイクロプロセッサ８０１の外部にあるシステム及びビデオデコーダ８０２により行われる。
【００４９】
図１５に示されたマイクロプロセッサ８０３はＭＰＥＧ−２ビットストリーム復号化とビデオデータストリームの復号化を全て行う。
図１６に示されたマイクロプロセッサ８０４はＭＰＥＧ−２ビットストリーム復号化を行うが、ビデオデータストリーム復号化はマイクロプロセッサ８０４の外部にあるビデオデコーダ８０５により行われる。
【００５０】
【発明の効果】
本発明はアナログビデオサービスとデジタルビデオサービスを両方受信する受信器において、アナログＴＶチャンネル受信時、アナログＴＶ信号処理中必要なフレームメモリをデジタルビデオ復号化のため具備した大容量のメモリを利用することによりデジタルビデオ復号用メモリの効率性を高め、システムのコストを低める効果がある。
【図面の簡単な説明】
【図１】従来のアナログＴＶのブロック図である。
【図２】従来のデジタルＴＶのブロック図である。
【図３】ＳＴＢを具備した従来のアナログＴＶの概略図である。
【図４】従来のアナログビデオモードを有するデジタルＴＶの概略図である。
【図５】本発明によるアナログとデジタルビデオモードを有する受信器の一実施例による概念的ブロック図である。
【図６】図５に示されたメモリ制御部の詳細図である。
【図７】本発明によるアナログとデジタルビデオモードを有する受信器の第２実施例によるブロック図である。
【図８】本発明によるアナログとデジタルビデオモードを有する受信器の第３実施例によるブロック図である。
【図９】図８に示された第３実施例の変形例である。
【図１０】図８の第３実施例の他の変形例である。
【図１１】図８の第３実施例の更に他の変形例である。
【図１２】本発明によるアナログとデジタルビデオモードを有する受信器の第４実施例によるブロック図である。
【図１３】図１２に示されたアナログ処理器の詳細ブロック図である。
【図１４】図１０に示された第４実施例の変形例である。
【図１５】図１０の第４実施例の他の変形例である。
【図１６】図１０の第４実施例の更に他の変形例である。
【符号の説明】
１００  アナログテレビ信号処理部
２００  デジタルテレビ信号処理部
３１０  制御部
３２０  メモリ制御部
３３０  メモリ
３５０  ディスプレイ接続部
３６０  ディスプレイ
４１０  制御部
４２０  メモリ
４４０  ディスプレイ接続部
４５０  ディスプレイ
５１１  第１チューナ
５１２  第１チャンネル復調器
５１３  Ａ／Ｄ変換器
５１４  第２チューナ
５１５  第２チャンネル復調器
５１６  システムデコーダ
５１７  制御部
５１８  マイクロプロセッサ
５１９  メモリ
５２０  ディスプレイ接続部
５２１  ディスプレイ
５２２  マイクロプロセッサ
５２３  ビデオデコーダ
５２５  マイクロプロセッサ
５２６  システム及びビデオデコーダ
５２７  マイクロプロセッサ
６１１  第１チューナ
６１２  第１チャンネル復調器
６１３  アナログ処理器
６１４  第２チューナ
６１５  第２チャンネル復調器
６１６  システムデコーダ
６１７  制御部
６１８  マイクロプロセッサ
６１９  メモリ
６２０  ディスプレイ接続部
６２１  ディスプレイ
６２３  Ｄ／Ａ変換器
７０１  Ａ／Ｄ変換器
７０２  アナログＴＶ信号処理器
７０３  Ｄ／Ａ変換器
８０１  マイクロプロセッサ
８０２  システム及びビデオデコーダ
８０３  マイクロプロセッサ
８０４  マイクロプロセッサ
８０５  ビデオデコーダ
【図１】
0003547572.tif 000002
【図２】
0003547572.tif 000003
【図３】
0003547572.tif 000004
【図４】
0003547572.tif 000005
【図５】
0003547572.tif 000006
【図６】
0003547572.tif 000007
【図７】
0003547572.tif 000008
【図８】
0003547572.tif 000009
【図９】
0003547572.tif 000010
【図１０】
0003547572.tif 000011
【図１１】
0003547572.tif 000012
【図１２】
0003547572.tif 000013
【図１３】
0003547572.tif 000014
【図１４】
0003547572.tif 000015
【図１５】
0003547572.tif 000016
【図１６】
0003547572.tif 000017